(57)【要約】【課題】着用者の臀部にフィットして、下着のような外観を呈する開放型の使い捨ておむつの提供。【解決手段】前ウエスト域、後ウエスト域、及び前・後ウエスト域間に位置するクロッチ域を有し、横方向に延びる弾性ウエストベルトと、前後方向に延びる吸収シャーシとを備える開放型の使い捨ておむつにおいて、弾性ウエストベルトの横方向前端縁と、吸収シャーシの前後方向両側縁との間に介在して伸縮性を有する一対の臀部カバー部を備え、臀部カバー部の輪郭縁が後ウエスト域に位置する弾性ウエストベルトの前端縁から斜めに延び出して、クロッチ域内に位置する吸収シャーシの側縁に至る構成とした。【選択図】図２
2014079289.tif 000002
【特許請求の範囲】
【請求項１】
互いに直交する前後方向及び横方向、並びに、前ウエスト域、後ウエスト域、及び前後ウエスト域間に位置するクロッチ域を有し、前記横方向に延びる弾性ウエストベルトと、前記前後方向に延び吸液構造体が配置される吸収シャーシとを備え、前記吸収シャーシの後端部が前記弾性ウエストベルトの横方向ほぼ中央部に連結された開放型の使い捨ておむつであって、
前記弾性ウエストベルトの横方向に延びる前端縁と、前記吸収シャーシの前後方向に延びる両側縁との間に介在して伸縮性を有する一対の臀部カバー部を備え、
前記臀部カバー部の輪郭縁が、前記後ウエスト域に位置する前記弾性ウエストベルトの前記前端縁から斜め方向に延び出して、前記クロッチ域内に位置する前記吸収シャーシの側縁に至ることを特徴とする、前記開放型の使い捨ておむつ。
【請求項２】
前記臀部カバー部に、前記横方向成分を含んで延在する複数条の紐状の臀部弾性材料が伸縮可能に接合され、少なくとも一部の前記臀部弾性材料が、前記吸液構造体の前後方向に延びる側縁部に交差する、請求項１に記載のおむつ。
【請求項３】
前記臀部カバー部において、複数条の前記臀部弾性材料が前記弾性ウエストベルトから前記吸液構造体の前記側縁部に向かう斜め方向に延在するとともに、
前記吸収シャーシの少なくとも前記クロッチ域内に位置する前記両側縁に沿ってレッグ弾性体が伸縮可能に接合され、前記吸収シャーシの前記両側縁において前記レッグ弾性体と前記臀部弾性材料とが交差する、請求項２に記載のおむつ。
【請求項４】
複数条の前記臀部弾性材料間の間隔が、前記吸液構造体の前記側縁部から離間するに従い次第に広くなる、請求項２または３に記載のおむつ。
【請求項５】
前記臀部カバー部において、複数条の前記臀部弾性材料が前記横方向に延在する、請求項２に記載のおむつ。
【請求項６】
一対の前記臀部カバー部の内の一方の前記臀部カバー部の前記臀部弾性材料と、他方の前記臀部カバー部の前記臀部弾性材料とが、前記吸液構造体の前記両側縁部間を経て互いに連結される、請求項２から５のいずれか１項に記載のおむつ。
【発明の詳細な説明】
【技術分野】
【０００１】
本発明は、開放型の使い捨ておむつに関し、特に臀部カバー部を有する開放型の使い捨ておむつに関する。
【背景技術】
【０００２】
従来、吸収シャーシと、着用者のウエスト周りにフィットする弾性ウエストベルトとを有する開放型の使い捨ておむつは公知である。例えば、特許文献１には、横方向に延びる弾性ウエストベルトと、前後方向に延び吸液構造体が配置される吸収シャーシとを備え、吸収シャーシの後端部が弾性ウエストベルトの横方向ほぼ中央部に連結された開放型の使い捨ておむつが開示されている。
【先行技術文献】
【特許文献】
【０００３】
【特許文献１】特許第４９７５８１１号公報
【発明の概要】
【発明が解決しようとする課題】
【０００４】
特許文献１に開示された開放型の使い捨ておむつは、弾性ウエストベルトにより吸収性衣類を体に合うように調節することができるので、着用者が立っている場合に該衣類の取替えをより容易に行うことができる。
【０００５】
しかし、特許文献１に開示されたおむつでは、弾性ウエストベルトに吸収シャーシがＴ字型になるように接合されるため、相撲の廻しのような形状となり外観が悪いばかりでなく、着用中に臀部に対しフィットしにくいという問題がある。
【０００６】
そこで、本発明は、従来の技術の改良であって、着用者の臀部にフィットして、下着のような外観を呈することができる開放型の使い捨ておむつを提供することを課題とする。
【課題を解決するための手段】
【０００７】
本発明は、互いに直交する前後方向及び横方向、並びに、前ウエスト域、後ウエスト域、及び前後ウエスト域間に位置するクロッチ域を有し、横方向に延びる弾性ウエストベルトと、前後方向に延び吸液構造体が配置される吸収シャーシとを備え、吸収シャーシの後端部が弾性ウエストベルトの横方向ほぼ中央部に連結された開放型の使い捨ておむつに関する。
【０００８】
本発明に係る開放型の使い捨ておむつは、弾性ウエストベルトの横方向に延びる前端縁と、吸収シャーシの前後方向に延びる両側縁との間に介在して伸縮性を有する一対の臀部カバー部を備え、臀部カバー部の輪郭縁が、後ウエスト域に位置する弾性ウエストベルトの前端縁から斜め方向に延び出して、クロッチ域内に位置する吸収シャーシの側縁に至ることを特徴とする。
【発明の効果】
【０００９】
本発明に係る開放型の使い捨ておむつは、弾性ウエストベルトの横方向に延びる前端縁と、吸収シャーシの前後方向に延びる両側縁との間に介在する一対の伸縮性を有する臀部カバー部を備えているので、着用者の臀部を広く覆いながらフィットして、下着のような外観を呈することができる開放型の使い捨ておむつを提供することができる。
【図面の簡単な説明】
【００１０】
【図１】本発明の第１実施形態における開放型使い捨ておむつの斜視図。
【図２】開放型使い捨ておむつを展開し、肌対向面から見た展開平面図。
【図３】おむつの分解斜視図。
【図４】おむつの展開状態において、弾性ウエストベルトを背面から見た図。
【図５】第２実施形態におけるおむつの弾性ウエストベルトのみを実線で示した展開平面図。
【図６】第３実施形態におけるおむつの弾性ウエストベルトのみを実線で示した展開平面図。
【図７】第４実施形態におけるおむつの弾性ウエストベルトのみを実線で示した展開平面図。
【発明を実施するための形態】
【００１１】
＜第１実施形態＞
図１〜図３を参照すると、本実施形態に係る開放型の使い捨ておむつ１０は、前後方向Ｙとそれに直交する横方向Ｘとを有する。おむつ１０は、肌対向面及び非肌対向面と、前ウエスト域１１と、後ウエスト域１２と、前後ウエスト域１１，１２間に位置するクロッチ域１３とを有し、少なくともクロッチ域１３の肌対向面に取り付けられた吸液構造体１４を有し前後方向に延びる吸収シャーシ１５と、後ウエスト域１２において、吸収シャーシ１５の後端部５２がその横方向ほぼ中央部に連結されて横方向Ｘへ延びる弾性ウエストベルト１６とを含む。かかるおむつ１０の着用状態において、弾性ウエストベルト１６の両側縁部どうしは、第１ファスニング手段１７を介して連結され、前ウエスト域１１を画定する吸収シャーシ１５の前端部５１が第２ファスニング手段１８を介して弾性ウエストベルト１６の外面に連結されることによって、ウエスト開口１９と一対のレッグ開口とが画定され、臀部カバー部８０により着用者の臀部が広く覆われる。
【００１２】
図２，３を参照すると、吸収シャーシ１５は、横方向Ｘへ直状に延びる前後端縁１５ａ，１５ｂと、前後端縁１５ａ，１５ｂ間において前後方向Ｙに延び、その中央部が内方へ凹曲する両側縁１５ｃ，１５ｄとによって画定された縦長矩形状を有する。吸収シャーシ１５は、さらに、その外形を形成するカバーシート５０と、前ウエスト域１１を形成する前端部５１と、後ウエスト域１２に位置する後端部５２と、前後端部５１，５２間に位置し、クロッチ域１３を形成する中間部５３とを有する。カバーシート５０は、難透液性の繊維不織布シート、プラスチックフィルム又はそれらのラミネートシートから形成される。カバーシート５０は、吸液構造体１４が配置された主体部５６と、その横方向Ｘの両側に位置する両側部５７とを有し、両側部５７は内方へ向かって折り曲げられ、主体部５６に固定される。具体的には、両側部５７は、ホットメルト接着剤を塗布した接合域５８を介して主体部５６に固定された前後固定端部６０，６１と、前後固定端部６０，６１間において折曲部（吸収シャーシ１５の両側縁１５ｃ，１５ｄ）に沿って前後方向Ｙに延びる固定側部６３とを有する。両側部５７では、凹曲状の両側縁（レッグ開口縁）１５ｃ，１５ｄに沿って、複数条のストリング状又はストランド状のレッグ弾性体６２が、伸縮可能に配設される。
【００１３】
また、両側部５７は、その内側縁が折り返されることによって形成されたスリーブ状の遠位縁部を有し、該遠位縁部内には、前後方向Ｙに直状に延びる複数条のストリング状又はストランド状のカフ弾性体６４が伸縮可能に固定される。遠位縁部は、おむつ１０の着用状態において、カフ弾性体６４の収縮作用によって主体部５６の肌対向面から離間し、排泄物の横漏れを防止するための一対のバリアカフが形成される。レッグ弾性体６２とカフ弾性体６４とは、例えば、太さ４７０〜９４０ｄｔｅｘ、伸長倍率約１．５〜２．８倍の弾性材料から形成することができる。
【００１４】
レッグ弾性体６２が配設されることによって、レッグ開口縁部が着用者の大腿部にフィットし、かつ、カフ弾性体６４によってバリアカフが鼠径部にフィットするので、排泄物の横漏れを確実に防止することができる。また、おむつ１０をパンツ形態のまま引き上げ／引き下げするときに、レッグ開口縁部が歪み折れ曲がったりよれたりするおそれはない。また、吸収シャーシ１５の中間部が凹曲状を有することによって、おむつ１０を引き上げるときに、該中央部が着用者の大腿部の内側に引っ掛かってその一部が破れたりするおそれはない。
【００１５】
吸液構造体１４は、ホットメルト接着剤を介してカバーシート５０の主体部５６の肌対向面に固定されており、吸液層６５と、透液性シートから形成された吸液層の少なくとも肌対向面側を被覆する身体側ライナ６６とを有する。吸液層６５は、不水溶性かつ自己質量の１０倍以上の吸水力を有するいわゆる高吸収性ポリマー粒子（ＳＡＰ）、木材フラッフパルプ、オプションとして熱可塑性繊維を僅かに含む混合物から形成された吸収性コアを親水性ＳＭＳ不織布などの透液性シートで被包することによって形成される。吸液構造体１４の下面には、その外寸法よりも大きい不透液性シートから形成された防漏シート６７が配置される。
【００１６】
吸収シャーシ１５は、前ウエスト域１１において、前端縁に沿って横方向Ｘに延び、バリアカフの前端部どうしを結ぶように配置される連結パネル６８を有する。連結パネル６８は、肌対向面側に位置する内面シート７０と、非肌対向面側に位置する外面シート７１と、それらの間に伸縮可能に取り付けられた弾性体７２とを有する。連結パネル６８は、弾性体７２が配設された前中央弾性域７３と、前中央弾性域７３の横方向Ｘの両側に位置する、非弾性の両側部と、両側部の肌対向面側に配置された一対の第２ファスナ部７４とを有する。
【００１７】
図２を参照すると、弾性ウエストベルト１６は、横長矩形状の弾性パネル２０と、弾性パネル２０の一方側部に取り付けられた係止フラップ２２と、他方側部に取り付けられた被係止フラップ２４とを有する。弾性パネル２０は、横方向Ｘに並行して延びる前後端縁１６ａ，１６ｂを有し、前端縁１６ａは横方向Ｘの中央部が前方に向けて凸状の形状であり、後端縁１６ｂは横方向Ｘに直状に延びる。弾性パネル２０の両側縁の一方には横方向Ｘの外側へ凸状となる形状の係止フラップ２２が取り付けられ、他方の側縁には矩形の被係止フラップ２４が取り付けられている。弾性ウエストベルト１６は、説明の便宜上、吸収シャーシ１５に連結された中央部２５と、吸収シャーシ１５の後端部５２の両側縁１５ｃ，１５ｄから横方向Ｘの外側に延びるベルト部２６とに区分される。係止フラップ２２の肌対向面にはファスナ部２７が位置し、被係止フラップ２４の非肌対向面は、ファスナ部２７が係脱可能に止着される第１受止部２８が配置される。ファスナ部２７と第１受止部２８とは、弾性ウエストベルト１６の両側縁部を互いに連結するための第１ファスニング手段１７を構成する。
【００１８】
弾性パネル２０は、吸収シャーシ１５の後端部５２と交差し、かつ、その両側縁１５ｃ，１５ｄから横方向Ｘの外側に連続して延びる第１弾性域４１と、第１弾性域４１の両側に隣接して位置するサイド非弾性域（非弾性域）４０と、サイド非弾性域４０と両側縁１６ｃ，１６ｄとの間に位置する第２弾性域４２とを有する。また、第１弾性域４１の中央部において、吸収シャーシ１５内の吸液構造体１４の後端部と交差する部位には、ウエスト弾性体３３が配置されておらず、中央非弾性域４３が画定される。中央非弾性域４３よりも前後方向Ｙにおける後側にはウエスト弾性体３３が配設されており、後中央弾性域４４が形成される。弾性ウエストベルト１６の中央部に中央非弾性域４３が形成されていることによって、弾性ウエストベルト１６と交差する吸液構造体１４の後端部にウエスト弾性体３３の収縮が直接作用することはなく、該後端部が変形したり皺が形成されたりして、その吸収性能が低下するおそれはない。
【００１９】
第１及び第２弾性域４１，４２は、ストリング状又はストランド状の弾性体を配置するほかに、第１及び第２シート３１，３２間に伸縮性シートを配置して形成してもよいし、弾性パネル２０全体を伸縮性シートから形成してもよい。本発明において、「非弾性域」とは、ストリング状、ストランド状又はシート状の弾性材料からなるウエスト弾性体３３の弾性力が発現されない領域であって、ウエスト弾性体３３の実質的に弾性を有する部分（伸縮機能部分）が配設されていない領域を意味する。非弾性域を画定する方法としては、スナップバック（弾性部材のうちシートに固着されていない非固着部分が、自らの収縮によりシートに固着されている接合端部近傍まで戻ること）のほか、非弾性域においてウエスト弾性体３３を固定し、第１及び第２シート３１，３２とともにその弾性力が発現してない程度に複数切断してもよい。
【００２０】
第１及び第２シート３１，３２は、例えば、質量約１０〜２０ｇ／ｍ２の不透液性のＳＭＳ（スパンボンド・メルトブローン・スパンボンド）繊維不織布又はスパンボンド不織布から形成することができる。ウエスト弾性体３３と後述する臀部弾性材料８４は、太さ約３００〜１２００ｄｔｅｘ、伸長倍率約１．５〜３．５倍、前後方向Ｙにおける離間寸法（ピッチ）約５〜１５ｍｍの複数条のストランド状又はストリング状の弾性材料から形成することができる。
【００２１】
係止フラップ２２は、例えば質量約２０〜６０ｇ／ｍ２の非伸縮性の繊維不織布又はプラスチックシートからなる２枚のシート４６，４７を互いに重ね合わせて形成される。係止フラップ２２は、第１及び第２シート３１，３２よりも高剛性のシート材料から形成されており、係止フラップ２２は弾性パネル２０よりも高い剛性を有する。これによりファスナ部２７の平面性が確保され、着用操作中にファスナ部２７が変形して被係止フラップ２４との止着強度が低下するおそれはない。
【００２２】
被係止フラップ２４は、例えば、質量約２０〜６０ｇ／ｍ２の非伸縮性の繊維不織布又はプラスチックシートから形成された２枚のシート４８，４９から形成される。被係止フラップ２４は、第１及び第２シート３１，３２よりも高剛性のシート材料から形成されており、弾性パネル２０よりも高い剛性を有する。これにより被係止フラップ２４に位置する第１受止部２８の平面性が維持されるので、着用操作中に第１受止部２８が変形してファスナ部２７との止着面積が減少して、それらの止着強度が低下するおそれはない。
【００２３】
図４を参照すると、弾性ウエストベルト１６の被係止フラップ２４の非肌対向面には、係止フラップ２２の第１ファスナ部２７が係脱可能に止着される第１受止部２８が位置し、サイド非弾性域４０の非肌対向面側には、それぞれ、連結パネル６８の第２ファスナ部７４が係脱可能に止着される第２受止部７５が配置される。第２ファスナ部７４と第２受止部７５とは、吸収シャーシ１５の前端部５１を弾性ウエストベルト１６に連結するための第２ファスニング手段１８を構成する。
【００２４】
第１及び第２ファスナ部２７，７４は、プラスチックフィルム等の比較的に剛性及び引張強度の高いシート材料から形成され、メカニカルファスナのフック群を有する。また、第１及び第２ファスナ部２７，７４は、被係止フラップ２４とベルト部２６との外面がプラスチックフィルムによって形成されている場合には、フック要素群に替えて接着剤を塗布して形成することもできる。第１及び第２受止部２８，７５は、プラスチックフィルム、繊維不織布、それらのラミネート等の比較的に剛性及び引張強度の高いシート材料から形成された基材シートと、基材シートの表面に配置されたメカニカルファスナのループ要素とから形成される。ただし、基材シートが繊維不織布から形成される場合には機械的なループ要素を有していなくてもよい。また、第１及び第２ファスナ部２７，７４がフック要素を有する場合には、被係止フラップ２４の外面を形成するシート４９とベルト部２６の外面を形成する第２シート３２とを繊維不織布から形成し、該シートに直接的に第１及び第２ファスナ部２７，７４を止着することもできる。
【００２５】
弾性ウエストベルト１６に十分な大きさの弾性域を形成する一方、第１及び第２弾性域４１，４２との間にサイド非弾性域４０を設けることによって、第２ファスニング手段１８の締結力の低下が防止される。すなわち、第２受止部７５において第２ファスナ部７４が安定的に止着されるためには、第２ファスナ部７４のフック要素と第２受止部７５のループ要素とが係合する面積を十分に確保できる程度に第２受止部７５自体が平面性を保持することが必要である。しかし、第２受止部７５が第１又は第２弾性域４１，４２に位置し、その伸縮とともに変形してその表面が凹凸状を有する場合には、該凹部においてループ要素がフック要素に係合されず、第２ファスナ部７４と第２受止部７５との止着強度が低下するおそれがある。本実施形態では、サイド非弾性域４０に第２受止部７５が位置するため、第１及び第２弾性域４１，４２の収縮によって第２受止部７５が変形することなく、平面性が保持されるので、第２ファスニング手段１８は所要の締結力を発揮することができる。
【００２６】
図３を参照すると、弾性パネル２０は、肌対向面側に位置する第１シート３１と、非肌対向面側に位置する第２シート３２とを有し、第１・第２シート３１，３２は、それらの対向面のいずれか一方に塗布されたホットメルト接着剤を介して互いに固定される。第１・第２シート３１，３２は同形同大のシートであり、互いに固定したとき、横方向Ｘに並行して延びる前後端縁１６ａ，１６ｂが形成される。前述のように、前端縁１６ａは横方向Ｘの中央部が前方に向けて台形状に凸となる形状である。前端縁１６ａの該台形状の部分は、下辺の長さが吸収シャーシ１５の横方向寸法より大きく、上辺の長さが吸収シャーシ１５の横方向寸法にほぼ等しい、ほぼ左右対称の台形形状である。台形状の部分の下辺の長さは通常、弾性ウエストベルト１６の横方向Ｘにおける長さの約４０％から約６０％の範囲であるが、これより広い範囲にすることもできる。
【００２７】
図２，３に示すように、第１・第２シート３１，３２の前端縁１６ａの台形状の部分に、吸収シャーシ１５の後端部５２が重ね合わされて固定される。このとき、吸収シャーシ１５と重なり合わない前端縁１６ａの台形状の部分により、弾性ウエストベルト１６の横方向Ｘに延びる前端縁１６ａと、吸収シャーシ１５の前後方向に延びる両側縁１５ｃ，１５ｄとの間に介在する一対の臀部カバー部８０が画定される。このとき、臀部カバー部８０の輪郭縁８３、すなわち台形状の部分の斜辺が、横方向Ｘに延びる前端縁１６ａから前方斜め方向に延び出して、クロッチ域１３内に位置する吸収シャーシ１５の両側縁１５ｃ，１５ｄに至る。なお、輪郭縁８３の形状、すなわち前端縁１６ａの台形状の部分の斜辺の形状は、直状でもよいし、おむつ１０の内側に向け湾曲した形状等の曲線状であってもよい。
【００２８】
台形状の部分以外の第１シート３１及び第２シート３２の間には、横方向Ｘに延びる複数条のウエスト弾性体３３が配置されており、弾性パネル２０は少なくとも横方向Ｘに伸縮可能に弾性化される。また、台形状の部分の第１及び第２シート３１，３２の間には、臀部カバー部８０の輪郭縁８３に並行する方向に、複数条のストリング状又はストランド状の臀部弾性材料８４が伸縮可能に固定されている。複数条の臀部弾性材料８４は、臀部カバー部８０において、弾性ウエストベルト１６から吸液構造体１４の側縁部１４ａ，１４ｂに向かう斜め方向に延在している。これにより臀部カバー部８０に伸縮性が付与される。また、一対の臀部カバー部８０は、クロッチ域１３内に位置する吸収シャーシ１５の側縁１５ｃ，１５ｄまで延在するので、おむつ１０が着用されたとき、臀部カバー部８０が着用者の臀部を広く覆ってフィットし、背面視において下着のような外観を呈することができる。
【００２９】
さらに、吸収シャーシ１５の両側縁１５ｃ，１５ｄにおいて、レッグ弾性体６２と、複数条の臀部弾性材料８４の一部とが交差するので、レッグ弾性体６２と臀部弾性材料８４の一部とが連動して伸縮することができる。これにより、おむつ１０の着用状態において、吸収シャーシ１５全体が後方に引き上げられ、着用者の身体の動きに合わせてよりフィットさせることができる。さらに、臀部弾性材料８４の別の一部が吸液構造体１４の側縁部１４ａ，１４ｂに交差するので、臀部弾性材料８４の張力が吸液構造体１４の横方向Ｘに作用する結果、吸液構造体１４に皺が生じることが抑制される。
【００３０】
＜第２実施形態＞
本発明の臀部カバー部８０を有するおむつ１０について、第１実施形態に基づき説明したが、本発明に係る臀部カバー部８０はこれに限定されず、種々変更して実施することができる。例えば図５に示すように、一方の臀部カバー部８０の臀部弾性材料８４と、他方の臀部カバー部８０の臀部弾性材料８４とを、吸液構造体１４の側縁部１４ａ，１４ｂ間を経て互いに連結することができる。このような構成の臀部カバー部８０は、一対の臀部カバー部８０を同一のシート部材上に一体で形成する場合に適している。この実施形態では、臀部カバー部８０に位置する臀部弾性材料８４は、第１及び第２シート３１，３２の間にホットメルト接着剤等の公知の手段により伸縮可能に固定される。一方、一対の臀部カバー部８０の間にあって、吸液構造体１４の両側縁部１４ａ，１４ｂの間に位置する臀部弾性材料８４は、第１及び第２シート３１，３２の間に伸縮可能に固定されていてもよいし、全く固定されていなくてもよい。また、吸液構造体１４の側縁部１４ａ，１４ｂ間に位置する臀部弾性材料８４を、非伸長下、すなわち、張力がほとんどかからない状態で、第２シート３１，３２の間に固定することもできる。また、第１及び第２シート３１，３２の間に臀部弾性材料８４を伸縮可能に一旦固定した後切断して、非弾性域とすることもできるし、臀部弾性材料８４を第１及び第２シート３１，３２の間に全く固定せずに、スナップバックすることもできる。
【００３１】
＜第３実施形態＞
図６に示すように、臀部カバー部８０の臀部弾性材料８４を横方向Ｘに延在させることによっても、臀部カバー部８０に伸縮性を付与することができる。臀部カバー部８０において、臀部弾性材料８４は第１及び第２シート３１，３２の間に伸縮可能に固定される。この実施形態では、臀部カバー部８０の自由縁である輪郭縁８３に臀部弾性材料８４の末端が位置するため、おむつ１０の使用時に臀部カバー部８０に力が加わったときでも、臀部弾性材料８４の伸長率はあまり変化しない。このため、臀部弾性材料８４の収縮により着用者の臀部が過度に圧迫されることがない。なお、図６では、吸液構造体１４の側縁部１４ａ，１４ｂ間において臀部弾性材料８４が連結されていない場合を図示しているが、この実施形態でも実施例２と同様にして、一対の臀部弾性材料８４を吸液構造体１４の側縁部１４ａ，１４ｂ間を経て互いに連結することができる。
【００３２】
＜第４実施形態＞
図７に示すように、ウエスト弾性体３３の一部を斜め方向に臀部カバー部８０上に延出させて臀部弾性材料８４と兼用することにより、臀部カバー部８０に伸縮性を付与することができる。この実施形態では、弾性ウエストベルト１６の前端縁１６ａの近傍で横方向Ｘに延びるウエスト弾性体３３の内の一部を、弾性ウエストベルト１６から吸液構造体１４の側縁部１４ａ，１４ｂに向けて、臀部カバー部８０上に延出させている。臀部カバー部８０において、臀部弾性材料８４は第１及び第２シート３１，３２の間に伸縮可能に固定される。この実施形態ではさらに、複数条の臀部弾性材料８４間の間隔が、吸液構造体１４の側縁部１４ａ，１４ｂから離間するに従い次第に広くなっている。すなわち、複数条の臀部弾性材料８４の間隔が臀部の形状に合うように次第に広くなっているので、臀部弾性材料８４により着用者の臀部が過度に圧迫されることを防止できる。なお、図７では、吸液構造体１４の側縁部１４ａ，１４ｂ間において一対の臀部弾性材料８４が互いに連結されていない場合を図示しているが、この実施形態でも第２実施形態と同様にして、一対の臀部弾性材料８４を吸液構造体１４の側縁部１４ａ，１４ｂ間を経て互いに連結することができる。
【００３３】
本発明は、上記の実施形態のほかにもさまざまな形態で実施することができる。例えば、臀部カバー部８０を中央部２５とベルト部２６とは別体のパネルから形成してもよい。また、臀部カバー部８０に伸縮性を付与するとき、臀部弾性材料８４とウエスト弾性体３３の双方を用いてもよい。
【００３４】
おむつ１０を構成する各構成部材には、本明細書に記載されている材料のほかに、この種の物品において通常用いられている各種の公知の材料を制限なく用いることができる。また、本発明の明細書及び特許請求の範囲において、「第１」及び「第２」の用語等は、同様の要素、位置を単に区別するために用いられている。
【００３５】
以上に記載した本発明に関する開示は、少なくとも下記事項に要約することができる。
互いに直交する前後方向及び横方向、並びに、前ウエスト域、後ウエスト域、及び前後ウエスト域間に位置するクロッチ域を有し、前記横方向に延びる弾性ウエストベルトと、前記前後方向に延び吸液構造体が配置される吸収シャーシとを備え、前記吸収シャーシの後端部が前記弾性ウエストベルトの横方向ほぼ中央部に連結された開放型の使い捨ておむつであって、前記弾性ウエストベルトの横方向に延びる前端縁と、前記吸収シャーシの前後方向に延びる両側縁との間に介在して伸縮性を有する一対の臀部カバー部を備え、前記臀部カバー部の輪郭縁が、前記後ウエスト域に位置する前記弾性ウエストベルトの前記前端縁から斜め方向に延び出して、前記クロッチ域内に位置する前記吸収シャーシの側縁に至ることを特徴とする、前記開放型の使い捨ておむつ。
【００３６】
上記の発明は、少なくとも下記の実施の形態を含むことができる。
（１）前記臀部カバー部に、前記横方向成分を含んで延在する複数条の紐状の臀部弾性材料が伸縮可能に接合され、少なくとも一部の前記臀部弾性材料が、前記吸液構造体の前後方向に延びる側縁部に交差する。
（２）前記臀部カバー部において、複数条の前記臀部弾性材料が前記弾性ウエストベルトから前記吸液構造体の前記側縁部に向かう斜め方向に延在するとともに、前記吸収シャーシの少なくとも前記クロッチ域内に位置する前記両側縁に沿ってレッグ弾性体が伸縮可能に接合され、前記吸収シャーシの前記両側縁において前記レッグ弾性体と前記臀部弾性材料とが交差する。
（３）複数条の前記臀部弾性材料間の間隔が、前記吸液構造体の前記側縁部から離間するに従い次第に広くなる。
（４）前記臀部カバー部において、複数条の前記臀部弾性材料が前記横方向に延在する。
（５）一対の前記臀部カバー部の内の一方の前記臀部カバー部の前記臀部弾性材料と、他方の前記臀部カバー部の前記臀部弾性材料とが、前記吸液構造体の前記両側縁部間を経て互いに連結される。
【符号の説明】
【００３７】
１０  おむつ
１１  前ウエスト域
１２  後ウエスト域
１３  クロッチ域
１４  吸液構造体
１４ａ，１４ｂ  吸液構造体の側縁部
１５  吸収シャーシ
１５ｃ，１５ｄ  吸収シャーシの側縁
１６  弾性ウエストベルト
１７  第１ファスニング手段
１８  第２ファスニング手段
２２  係止フラップ
２４  被係止フラップ
２５  弾性ウエストベルトの中央部
２６  ベルト部
２７  第１ファスナ部（ファスナ部）
２８  第１受止部（受止部）
４１  第１弾性域
４２  第２弾性域
４３  中央非弾性域（非弾性域）
５１  吸収シャーシの前端部
５２  吸収シャーシの後端部
５３  吸収シャーシの中間部
６２  レッグ弾性体
６５  吸液層
６６  身体側ライナ
７３  前中央弾性域
７４  第２ファスナ部（ファスナ部）
７５  第２受止部（受止部）
８０  臀部カバー部
８３  輪郭縁
８４  臀部弾性材料
Ｘ    横方向
Ｙ    前後方向
【図１】
2014079289.tif 000003
【図２】
2014079289.tif 000004
【図３】
2014079289.tif 000005
【図４】
2014079289.tif 000006
【図５】
2014079289.tif 000007
【図６】
2014079289.tif 000008
【図７】
2014079289.tif 000009